(57)【要約】      （修正有）【課題】ハーネスの中間部分の形状を所望の形状としやすく、かつその形状を安定して維持することのできる細径同軸ケーブルハーネスおよびその製造方法を提供する。【解決手段】複数の細径同軸ケーブル２４により構成されるサブユニット３０が複数集合されている細径同軸ケーブルハーネスであって、サブユニット３０は、複数の細径同軸ケーブル２４が平面状に並列された状態で一括押し出し被覆により一体化され、複数のサブユニット３０が、それぞれの細径同軸ケーブル２４の並列面に対して垂直な方向に重ねられて一体化されている。【選択図】図４
2009224142.tif 000002
【特許請求の範囲】
【請求項１】
複数の細径同軸ケーブルにより構成されるサブユニットが複数集合されている細径同軸ケーブルハーネスであって、
前記サブユニットは、複数の前記細径同軸ケーブルが平面状に並列された状態で一括押し出し被覆により一体化され、
複数の前記サブユニットが、それぞれの前記細径同軸ケーブルの並列面に対して垂直な方向に重ねられて一体化されていることを特徴とする細径同軸ケーブルハーネス。
【請求項２】
請求項１に記載の細径同軸ケーブルハーネスであって、
前記サブユニットにおける前記細径同軸ケーブル同士の間に、前記細径同軸ケーブルの軸方向に沿った溝が形成されていることを特徴とする細径同軸ケーブルハーネス。
【請求項３】
請求項１または２に記載の細径同軸ケーブルハーネスであって、
前記サブユニットの外被が除去されて前記細径同軸ケーブル１本ずつに分岐されている箇所を有することを特徴とする細径同軸ケーブルハーネス。
【請求項４】
複数の細径同軸ケーブルを平面状に並列した状態で一括押し出し被覆により一体化してサブユニットを形成し、
複数の前記サブユニットを、それぞれの前記細径同軸ケーブルの並列面に対して垂直な方向に重ねて一体化することを特徴とする細径同軸ケーブルハーネスの製造方法。
【発明の詳細な説明】
【技術分野】
【０００１】
本発明は、細径同軸ケーブルを複数集合させた細径同軸ケーブルハーネスおよびその製造方法に関する。
【背景技術】
【０００２】
近年、携帯端末や小型ビデオカメラなどの普及により、これら電子機器の小型化や高画質化が求められている。これらに対応するために、機器本体と液晶表示部との接続や機器内の配線などに、極めて細い同軸ケーブルが用いられている。それらは配線の容易性から、複数本の同軸ケーブルを集合一体化させた同軸ケーブルハーネスとして用いられている。
【０００３】
同軸ケーブルハーネスは、通常、端末部分では電気コネクタなどが接続され、ハーネスの中間部分では、複数本の同軸ケーブルを束ねた部分が形成される。複数本の同軸ケーブルを束ねるには、接着テープ等の束ね部材を用いることが知られている（例えば、特許文献１参照）。
【０００４】
【特許文献１】特開２００５−２３５６９０号公報
【発明の開示】
【発明が解決しようとする課題】
【０００５】
同軸ケーブルハーネスの配線スペース等の都合により、束ねた部分の厚さを薄く抑えたい場合には、束ねる部分を幅広の平たい形状にすることが考えられる。
【０００６】
本発明の目的は、ハーネスの中間部分の形状を所望の薄い形状としやすく、かつその形状を安定して維持することのできる細径同軸ケーブルハーネスおよびその製造方法を提供することにある。
【課題を解決するための手段】
【０００７】
前記課題を解決することのできる本発明に係る細径同軸ケーブルハーネスは、複数の細径同軸ケーブルにより構成されるサブユニットが複数集合されている細径同軸ケーブルハーネスであって、
前記サブユニットは、複数の前記細径同軸ケーブルが平面状に並列された状態で一括押し出し被覆により一体化され、
複数の前記サブユニットが、それぞれの前記細径同軸ケーブルの並列面に対して垂直な方向に重ねられて一体化されていることを特徴とする。
【０００８】
本発明に係る細径同軸ケーブルハーネスにおいて、前記サブユニットにおける前記細径同軸ケーブル同士の間に、前記細径同軸ケーブルの軸方向に沿った溝が形成されていることを特徴とする。
【０００９】
本発明に係る細径同軸ケーブルハーネスにおいて、前記サブユニットの外被が除去されて前記細径同軸ケーブル１本ずつに分岐されている箇所を有することが好ましい。
【００１０】
また、本発明に係る細径同軸ケーブルハーネスの製造方法は、複数の細径同軸ケーブルを平面状に並列した状態で一括押し出し被覆により一体化してサブユニットを形成し、
複数の前記サブユニットを、それぞれの前記細径同軸ケーブルの並列面に対して垂直な方向に重ねて一体化することを特徴とする。
【発明の効果】
【００１１】
本発明の細径同軸ケーブルハーネスは、複数の細径同軸ケーブルが平面状に並列されて一体化しているサブユニットを重ねて一体化したものであるため、細径同軸ケーブルを所望の配列に並べた状態でその形状が安定している。したがって、断面形状の幅や厚さを、用途に合わせた最適な寸法として維持することができ、限られた高さや幅の配線空間に無理なく収容することができる。また、この細径同軸ケーブルハーネスは、サブユニット内の細径同軸ケーブルの並列方向に剛性が高くなるため、サブユニット同士の重なり方向に屈曲しやすい。ハーネスを屈曲させるような使用環境の場合、その屈曲方向とサブユニット同士の重なり方向を一致させることで、屈曲抵抗の低減を図ることができる。
【発明を実施するための最良の形態】
【００１２】
以下、本発明に係る細径同軸ケーブルハーネスおよびその製造方法の実施形態の例を、図面を参照しつつ説明する。
図１および図２に示すように、本実施形態では、上下に重ねて配置され前後（図１，図２の左右方向）に水平移動する二つの基板１１，１２間が、複数本（２０〜６０本）の細径同軸ケーブル２４を含む細径同軸ケーブルハーネス２０によって接続されている。基板１１，１２は、例えば、携帯電話等の機器の相対的にスライドする筐体内にそれぞれ組み込まれている。細径同軸ケーブルハーネス２０の両方の端末は、コネクタ２５を取り付けて成端処理することで、基板１１，１２との接続を容易としている。そして、細径同軸ケーブルハーネス２０は、両端部２１ａ，２１ｂを除く中間部２３では複数の細径同軸ケーブル２４が一体化されており、全体としてＵ字状（またはＪ字状）になるように両基板に接続されている。これにより、細径同軸ケーブルハーネス２０を基板１１，１２の平面視方向におけるＵ字状形状として両基板１１，１２間に配線することができる。なお、図１は細径同軸ケーブルハーネス２０の両端部２１ａ，２１ｂが最も離れた状態であり、図２は両端部２１ａ，２１ｂが最も近接した状態である。基板１１，１２の水平移動距離は、例えば３０ｍｍから６０ｍｍ程度である。
【００１３】
また、細径同軸ケーブルハーネス２０は、スライドする筐体以外の機器内配線にも使用できる。図１、図２は直線状の動きを例にとったが、基板が水平移動する機構、全てにおいて本発明は有効である。たとえば、一端のコネクタが他端のコネクタに対して円弧状の軌跡を描くように移動する場合や、Ｌ字状、Ｕ字状の軌跡を描いて移動する場合などの適用も含まれる。例えば、図３に示すように、筐体同士が相対的に回動する携帯電話等の機器に組み込んで使用することもできる。
図３の例では、非移動側の筐体４２に直線溝４２ａと曲線溝４２ｂが形成され、これらの溝４２ａ，４２ｂに移動側の筐体４１に設けられたピン４１ａ，４１ｂが嵌挿されている。筐体４１の移動時には、図３（Ａ）に示した状態から、筐体４１がピン４１ａの移動に伴い上方に変位するとともにピン４１ｂの移動に伴い反時計回りに回動され、図３（Ｂ）の状態を経て、筐体４１がピン４１ａの移動に伴い下方に変位するとともにピン４１ｂの移動に伴いさらに反時計回りに回動されて、図３（Ｃ）の状態となる。これにより、筐体４１が筐体４２に対して９０度回転される。このとき、筐体４１の基板と筐体４２の基板に接続された細径同軸ケーブルハーネス２０は、筐体４２に接続された端部２１ｂ付近は動かず、筐体４１に接続された端部２１ａが上下に変位するとともに９０度回動する。図３（Ａ）から（Ｃ）の動きと、その逆の動きの繰り返しにより、細径同軸ケーブルハーネス２０には端部２１ａ近傍部分が繰り返し曲げられ、筐体４１，４２内で摺動される。
【００１４】
細径同軸ケーブル２４は、中心軸に直交する径方向の断面において、中心から外側に向かって、中心導体、内部絶縁体、外部導体を有する構成であり、それぞれの端部２１ａ，２１ｂでは端末処理が施されて、外部導体、内部絶縁体、中心導体が段階的に所定長さで露出している。外部導体の周囲に、絶縁被覆層があっても良い。また、細径同軸ケーブルハーネス２０には、複数本の細径同軸ケーブルの他に、外部導体のない細径絶縁ケーブルが含まれていても良い。なお、図面では細径同軸ケーブル２４の本数を少なく示して簡略化している。
【００１５】
細径同軸ケーブルハーネス２０は、平面図でみて基板の幅方向（図１（Ａ）の両矢印Ｗの方向）に湾曲されている。基板１１，１２の幅が数ｃｍあるので、この方向の曲げ径を十分確保することができる。例えば、図１（Ａ）に示すように、細径同軸ケーブルハーネス２０の一方の端部２１ａがスライド方向に対して上基板１１の右側（図１（Ａ）において上側）に接続されていれば、他方の端部２１ｂをスライド方向に対して下基板１２の左側（図１（Ａ）において下側）に接続する。細径同軸ケーブルハーネス２０はＵ字状に曲げられているが、細径同軸ケーブルハーネス２０を収容するスペースを小さくするためには、Ｕ字の幅（直線部分の間隔）が狭いほどよい。
【００１６】
従来のＦＰＣ（フレキシブルプリント基板）を用いた場合は、ＦＰＣは両基板１１，１２の間で、基板の平面方向と直交する方向で曲げられるので、その曲げ径を確保するために両基板１１，１２の隙間を大きくする必要がある。本発明では、両基板１１，１２の隙間は、細径同軸ケーブルハーネス２０の厚さ程度で十分であり、ＦＰＣを使用する場合のように大きくとる必要がなく、機器の薄型化を図ることができる。
【００１７】
図４は、細径同軸ケーブルハーネス２０の中間部２３の断面斜視図である。図４に示すように、中間部２３は、複数の細径同軸ケーブル２４により構成されるサブユニット３０を、複数集合させて一体化した構造を有している。サブユニット３０は、複数本（図４に示す例では５本）の細径同軸ケーブル２４を平面状に並列させて、その周囲を樹脂で覆って一体化させたものであり、サブユニットの形成に用いる樹脂は、熱可塑性樹脂や紫外線硬化型樹脂等を使用できる。熱可塑性樹脂を用いる場合には、サブユニットを構成する数の細径同軸ケーブル２４を並列させてダイスに通して一括押し出し被覆すればよく、紫外線硬化型樹脂を用いる場合には、細径同軸ケーブル２４を並列させてダイスに通して樹脂を塗布して、塗布された樹脂に紫外線を照射すればよい。
【００１８】
このように形成されたサブユニット３０を必要な心数となるように複数本（図４の例では８本）、細径同軸ケーブル２４の並列面に対して垂直な方向（図４中矢印で示すサブユニット３０の厚さ方向）に重ねて一体化させることで、中間部２３が形成されている。サブユニット３０同士を一体化させるには、サブユニット３０の表面の樹脂同士を接着するか、加熱して溶着するか、並列させたサブユニット３０の周囲をさらに樹脂で覆う（押し出し被覆等）か、テープで周囲を巻きつけるか、の何れかを採用できる。生産性と長さ方向に均一な寸法とできる点で押出被覆が好ましい。長尺のサブユニット３０を複数本重ねて押出被覆し、長尺の細径同軸ケーブルハーネスを得る。それを所定の長さに切り分けて末端の被覆を除去してコネクタ付けするなどの加工をする。
サブユニット３０の外被に熱可塑性樹脂を使用した場合は、サブユニットを重ねて型に嵌めるなどして加熱して一体化することもできる。この場合は、サブユニット３０を所定の長さに切り分けてから重ねて加熱一体化することもでき、重ねて加熱一体化してから所定の長さに切り分けることもできる。その後、末端の被覆除去等の加工をする。
中間部２３の断面構造は、４０本の細径同軸ケーブル２４が５×８の行列状に配置されたものであり、細径同軸ケーブル２４を単純に束ねた構造と比較して形状が安定している。そのため、中間部２３の厚さや幅を、配線スペースに合わせて所望の寸法とすることができ、その形状を安定させることができる。
【００１９】
サブユニット３０は、その幅に対して厚さが小さいことから、幅方向（細径同軸ケーブルが配列される方向）の剛性が大きく、厚さ方向に曲がり易くなっているため、このサブユニット３０を厚さ方向に重ねた中間部２３もまた、サブユニット３０の厚さ方向に曲がり易い構造である。したがって、この曲がり易い方向と細径同軸ケーブルハーネス２０の使用時の曲げ方向が一致するように、両端部２１ａ，２１ｂの成端処理の向き（例えばコネクタを付ける向き）を設定することが望ましい。図１及び図２に示した例では、サブユニット３０の厚さ方向を基板１１，１２のスライド方向の平面に沿う方向に合わせるとよい。そのとき、サブユニット３０の幅が細径同軸ケーブルハーネス２０の中間部２３の厚さとなり、基板１１，１２の厚さ方向に要する細径同軸ケーブルハーネス２０の高さは、サブユニット３０の幅寸法となる。
【００２０】
図４に示した例では、５本の細径同軸ケーブル２４を並列させたサブユニット３０を８本重ねたものであるが、例えば４本の細径同軸ケーブル２４を並列させたサブユニット３０を１０本重ねたものとすると、細径同軸ケーブルハーネス２０に含まれる細径同軸ケーブル２４の本数を変更せずに、その厚さをさらに小さくすることができる。
【００２１】
また、図５に示すように、他の中間部２３ａの例として、８本の細径同軸ケーブル２４を並列させたサブユニット３１を５本重ねた構造とすると、サブユニット３１を重ねた方向の寸法がサブユニット３１内の細径同軸ケーブル２４の並列方向の寸法より小さくなる。中間部２３ａの曲がり易い方向は、図５に矢印で示すようにサブユニット３１を重ねた方向である。したがって、図５における上下方向に中間部２３ａを曲げる配線形態で、厚さを小さくして配線したい場合には、サブユニット３１を重ねた方向を厚さ（高さ）方向にすればよい。さらに厚さを小さくしたい場合には、１０本の細径同軸ケーブル２４を並列させたサブユニットを４本重ねたものとすればよい。
【００２２】
このように、細径同軸ケーブルハーネスに含まれる細径同軸ケーブルの本数を変更せずに、サブユニットに含まれる細径同軸ケーブルの本数とサブユニットの本数の組み合わせを変更することで、中間部の断面形状の幅や厚さを、用途に合わせた最適な寸法とすることができ、配線の空間利用効率を向上させることができる。また、中間部の屈曲し易い方向を使用時の屈曲方向と一致させることで、細径同軸ケーブルハーネスの屈曲抵抗の低減を図ることができる。
【００２３】
図６に、サブユニットの形態例を示す。図６（ａ）に示すサブユニット３２は、中心導体２６、内部絶縁体２７、外部導体２８からなる細径同軸ケーブル２４を間隔をあけて４本並列に配置し、それらを共通の絶縁樹脂の外被３６で一括被覆したものである。外被３６は、前述のように熱可塑性樹脂や紫外線硬化型樹脂等を使用できる。各外部導体２８の細径同軸ケーブル２４同士は外被３６によって絶縁される。外被３６を共通化することで、細径同軸ケーブル２４の並列ピッチを極力小さくすることが可能である。細径同軸ケーブル２４にサブユニットの外被３６を押出被覆するので外部導体２８同士が接触しないように間隔を保つことができ、サブユニット３２の寸法精度に優れサブユニット３２の幅や厚さが長さ方向に変動しない。したがってサブユニット３２を一体化したハーネスの寸法も長さ方向に均一になり、実装スペースとハーネスのクリアランスを最小にした場合でも筐体や基板と干渉することが無く、摺動性を損なうことは無い。
【００２４】
図６（ｂ）に示すサブユニット３４は、中心導体２６、内部絶縁体２７、外部導体２８からなる細径同軸ケーブル２４を隙間をあけて４本並列に配置し、それらを共通の絶縁樹脂の外被３６で一括被覆したものである。但し、外被３６には細径同軸ケーブル２４ａ同士の間で軸方向に沿った溝３９が形成されている。この溝３９は、外被３６を一括被覆する際のダイスの形状により形成することができる。このサブユニット３４においても、外被３６を共通化することで、細径同軸ケーブル２４の並列ピッチを極力小さくすることが可能となっている。
【００２５】
図６（ｃ）に示すサブユニット３５は、中心導体２６、内部絶縁体２７、外部導体２８、絶縁被覆層２９からなる細径同軸ケーブル２４ａを４本並列に配置し、それらを共通の絶縁樹脂の外被３７で一括被覆したものである。このサブユニット３５では、隣り合う細径同軸ケーブル２４ａ同士を接触させてもよいし、適宜間隔をあけて配置してもよい。
【００２６】
細径同軸ケーブル２４，２４ａは、例えばＡＷＧ（Ａｍｅｒｉｃａｎ  Ｗｉｒｅ  Ｇａｕｇｅ）の規格によるＡＷＧ４２、またはＡＷＧ４２よりも細い極細同軸ケーブルを用いるのが望ましい。ＡＷＧ４２の細径同軸ケーブル２４ａは、中心導体２６が、例えば外径０．０２５ｍｍの銀メッキ銅合金の素線を７本撚って形成されている。また、内部絶縁体２７は、中心導体２６の外周面を被覆する例えばＰＦＡ等のフッ素樹脂からなり外径０．１７ｍｍに形成されている。さらに、外部導体２８は、外径０．０３ｍｍの例えば銀メッキ銅合金の素線ａを内部絶縁体２７の外周面に横巻きで螺旋状に巻き付けることで外径０．２５ｍｍ程度に形成されている。加えて、絶縁被覆層２９は外部導体２８の外周面を被覆する例えばＰＦＡ等のフッ素樹脂からなり、ＡＷＧ４２の場合は外径０．３０ｍｍ程度に形成されている。
【００２７】
ＡＷＧ４２の細径同軸ケーブル２４は、外部導体２８までの直径が０．２５ｍｍ程度であり、図６（ａ），（ｂ）のように４本を並列してもサブユニット３２，３４の幅は１ｍｍ程度ですむ。また、絶縁被覆層２９を有するＡＷＧ４２の細径同軸ケーブル２４ａは、絶縁被覆層２９の直径が０．３０ｍｍ程度である。ＡＷＧ４２よりも細い極細同軸ケーブルを用いることで、中間部２３の幅や厚さを小さくでき、配線の省スペース化を図ることができる。また、細径同軸ケーブルハーネス２０が曲がり易くなり、両基板１１，１２がスライドするときの抵抗を小さくすることができる。
【００２８】
細径同軸ケーブルハーネス２０は、４０本から５０本程度の細径同軸ケーブルを含むものである。絶縁被覆層２９を有するＡＷＧ４２の細径同軸ケーブル２４ａを４０本含む細径同軸ケーブルハーネス２０において、４本の細径同軸ケーブル２４ａを外被３７で覆ったサブユニット３５（図６（ｃ）参照）を１０本重ねて形成した場合、中間部の幅は３〜４ｍｍ程度、高さ（厚さ）は１ｍｍ強となり、５本の細径同軸ケーブル２４ａを外被で覆ったサブユニットを８本重ねて形成した場合、中間部の幅は３ｍｍ程度、高さ（厚さ）は２ｍｍ弱となる。
【００２９】
図７に示すように、細径同軸ケーブルハーネス２０の両端部２１ａ，２１ｂでは、細径同軸ケーブル２４，２４ａが１本ずつに分岐され、それぞれコネクタ２５に接続されている。
絶縁被覆層２９を含まない細径同軸ケーブル２４ａが一括被覆されているサブユニットの場合には、一括被覆されている共通の外被を切り分けて細径同軸ケーブル２４ａを１本ずつに分岐させる。その後、細径同軸ケーブル２４ａを並列に配置して治具あるいはテープ等（図示省略）で保持し、複数の細径同軸ケーブル２４ａの端部を口出し処理する。この口出し処理は、ＹＡＧレーザあるいはＣＯ２レーザ等のレーザ加工機を用いて行うもので、まず、ＣＯ２レーザの波長や強度を調整して複数の細径同軸ケーブル２４ａの外被を切断し端部側を引き抜いて除去する。次に、ＹＡＧレーザの波長や強度を調整して複数の細径同軸ケーブル２４ａの外部導体２８を切断し端部側の外部導体を引き抜いて除去する。その後、ＣＯ２レーザの波長や強度を調整して複数の細径同軸ケーブル２４ａの内部絶縁体２７を切断し端部側の内部絶縁体を引き抜いて除去する。口出し処理を行ったら、コネクタ２５に接続加工する。
【００３０】
絶縁被覆層２９を含む細径同軸ケーブル２４が一括被覆されているサブユニットの場合には、一括被覆されている共通の外被を、端部から所定の長さのところで軸に直交する方向に切れ目を入れ、端部側を引き抜いて除去する。その後、前記のようにレーザ加工により口出し処理を行う。
【００３１】
図７に示すように、中間部２３では細径同軸ケーブル２４，２４ａが所定の配列で並んでおり、その形状も安定しているため、口出し処理した各ケーブルをコネクタ２５のどの接続端子に接続すればよいか、識別しやすく、作業性が良好である。
【００３２】
図７の例では、４０本のケーブルを一つのコネクタ２５に接続しているが、図８に示すように、４０本を二つ（二つ以上も可能）のコネクタ２５に分けて接続してもよい。二つのコネクタ２５は、図８に示すように上下二列に並列に配置するか、もしくは直列に配置してもよい。
【００３３】
細径同軸ケーブルハーネス２０を細径同軸ケーブル１本ずつに分岐するのは、細径同軸ケーブルハーネス２０の端部に限らず、任意の箇所で分岐することができる。例えば、図１０に示すように細径同軸ケーブル２４の中間部２３ｂでサブユニットの外被を除去して、細径同軸ケーブル２４を露出させる。そして、細径同軸ケーブル２４にテープを巻き付けるなどして束ねてもよい。これにより細径同軸ケーブル２４の配線の自由度をより高めることができる。例えば、細径同軸ケーブル２４を捻回させる必要がある場合に細径同軸ケーブル２４を露出させて捻回して配線することができる。さらに、このときに図１１に示すように複数の束２３ｃに束ねてもよい。例えば、細径同軸ケーブルハーネス２０を曲げたときに外側のケーブル２４と内側のケーブル２４との配線長の長さが大きい場合には、内側となるケーブルの群をたるませるように配線して長さの違いを吸収することができる。必ずしもテープ等で細径同軸ケーブル２４を束ねる必要はなく、細径同軸ケーブル２４を露出させたままでもよい。
【００３４】
両端部２１ａ，２１ｂで１本ずつに分岐する長さを調整するか、一定長さで分岐した後に適宜切断して長さを調整することで、中間部２３に対するコネクタ２５の向きを設定することができる。図１，図２，図３，図７，図８の例では、中間部２３の長手方向に対してコネクタ２５の長手方向が直交する向きとなっている。
【００３５】
図９に示すように、細径同軸ケーブルハーネス２０の細径同軸ケーブル２４を基板１１，１２に直付けして成端処理することも可能である。細径同軸ケーブル２４を基板１１，１２に直付けする場合には、並列させた細径同軸ケーブル２４の端末を基板１１，１２に対してフィルムなどで仮止めし、外部導体にグランドバー２５ａを接続し、ピッチを固定してから細径同軸ケーブル２４の端末の中心導体を基板１１，１２の接続端子に半田付けで接続すればよい。図９の例では、中間部２３の長手方向に対してコネクタ２５の長手方向が一致する向きを示しており、コネクタ付けする場合もこのような向きにすることができる。コネクタの向きに応じて各線の長さを調整する。
【００３６】
また、細径同軸ケーブルハーネス２０の端を、前記コネクタ２５の替わりにＦＰＣ（Flexible Printed Circuits）に接続し、ＦＰＣを基板１１，１２に取り付けることもできる。
また、細径同軸ケーブルハーネス２０は、スライドする筐体間以外の配線にも使用できる。
また、本発明の細径同軸ケーブルハーネスには、外部導体を有さない絶縁電線を適宜混在させることができる。絶縁電線をグランドとして使用することや、絶縁電線を給電線として使用することができる。
【図面の簡単な説明】
【００３７】
【図１】（Ａ）は本発明の細径同軸ケーブルハーネスに係る実施形態の例を示す平面図、（Ｂ）はその側面図である。
【図２】（Ａ）は上下の基板を重ねた状態を示す平面図、（Ｂ）はその側面図である。
【図３】細径同軸ケーブルハーネスを、筐体が回動する携帯電話内に配線した例を示す平面図である。
【図４】図１の細径同軸ケーブルハーネスの中間部の断面斜視図である。
【図５】中間部におけるケーブル及びサブユニットの配列を変更した例を示す断面斜視図である。
【図６】サブユニットの構造例を示す断面図である。
【図７】細径同軸ケーブルハーネスの端部をコネクタ付けした状態を示す斜視図である。
【図８】細径同軸ケーブルハーネスの端部を二列にコネクタ付けした状態を示す斜視図である。
【図９】細径同軸ケーブルハーネスを基板に直付けした状態の例を示す平面図である。
【図１０】細径同軸ケーブルハーネスの中間部で細径同軸ケーブル１本ずつに分岐した例を示す平面図である。
【図１１】図１０のさらに別の例を示す平面図である。
【符号の説明】
【００３８】
１１，１２…基板、２０…細径同軸ケーブルハーネス、２１ａ，２１ｂ…端部、２３…中間部、２４，２４ａ…細径同軸ケーブル、２５…コネクタ、３１〜３５…サブユニット。
【図１】
2009224142.tif 000003
【図２】
2009224142.tif 000004
【図３】
2009224142.tif 000005
【図４】
2009224142.tif 000006
【図５】
2009224142.tif 000007
【図６】
2009224142.tif 000008
【図７】
2009224142.tif 000009
【図８】
2009224142.tif 000010
【図９】
2009224142.tif 000011
【図１０】
2009224142.tif 000012
【図１１】
2009224142.tif 000013